Podtech/llm-jp-corpus-v4-ja_patent huggingface dataset:
(57)【要約】      （修正有）【課題】慶弔祭事に利用され、若者のダイエット志向にもアピールできる新しい慶弔三色だんごを提供する。【解決手段】モカ入りコーヒー色の団子１即ちコーヒー団子Ａと、桜の花弁入り桜色の団子２即ち桜団子Ｂと、長寿抹茶入り抹茶色の団子３即ち抹茶団子Ｃで一組の慶弔三色だんごＤを成し、色合いの異なる三種類の団子の夫々が、食べる直前までは、個別に和風の篭容器４に囲われる形で納まっているので、一個ずつ持ち上げられたり動かされたりしても、丸いお団子の形は崩れることなく、終始整然と和の居ずまいを保ち続けることができる。食べる時は、篭容器４の開閉部５を外し、篭容器４を開いてお団子を取り出す。【選択図】図１
0003213628.tif 000002
【実用新案登録請求の範囲】
【請求項１】
コーヒーや抹茶等の、カラフルな色合いを有する飲食材、
あるいは桜や菜の花等の食彩利用可能な花弁、及び食紅を、
夫々別々に、もしくは混ぜ合わせて、お団子の生地に練り込まれてある個別の団子が、一個ずつ和風の篭容器に納めてあり、開閉部の留め外しによって開閉するその篭容器に納まった状態で、
異なる三色の団子の組み合わせ一組によって単位製品と成ることを特徴とする慶弔三色だんご。
【請求項２】
複数組の三色だんごを、重箱等の一つの容器に盛り合わせたことを特徴とする、請求項１に記載の慶弔三色だんご。
【考案の詳細な説明】
【技術分野】
【０００１】  本考案は、慶弔祭事の利用に向いたカラフルな団子製品に関する。
【背景技術】
【０００２】  お祝事や祭事に配られる、紅白の饅頭が広く知られている。
【考案の概要】
【考案が解決しようとする課題】
【０００３】  慶弔祭事に参加される年齢層としては、自ずと中高年者が多い。そして、中高年者に「お饅頭とお団子と、もらった時に嬉しいのはどちらか」を尋ねると、「団子」と応える人が断然多い。また、団子もダイエット志向の若者にも興味を持たせるような商品種類が乏しいのが現状である。
【課題を解決するための手段】
【０００４】  コーヒーや抹茶等の、カラフルな色合いを有する飲食材、あるいは桜や菜の花等の食彩利用可能な花弁、及び食紅を、夫々別々に、もしくは混ぜ合わせて、お団子の生地に練り込まれてある個別の団子が、一個ずつ竹篭風の和風の篭容器に納めてあり、開閉部の留め外しによって開閉するその篭容器に納まった状態で、異なる三色の団子の組み合わせによって単位製品と成っている。
以上を特徴とする慶弔三色だんごである。
【考案の効果】
【０００５】（イ）  コーヒーや抹茶を飲みながらお団子を食するのは良く見かけられる光景であっても、団子生地そのものがコーヒーや抹茶の味・香りのする製品は意外性を与えて興味を引く。実際に食べてみると、思ったよりもずっと材料の相性も良く、大好評であることが試されている。コーヒと抹茶は共にダイエット志向にアッピールする要素にもなる。
（ロ）  コーヒー団子にはチョコレートソース、桜団子にはブルーベリーソース、抹茶団子には抹茶シロップ、という具合に、それぞれの団子種類に相性の良いソースを用意してあれば、愛好家は増えていくと思われる。
（ハ）  仏事・祝儀には重箱入りを用意すれば、結構な需要が見込まれる。
（ニ）  増えてくる外国人観光客向けに、馴染み易いコーヒーの様な洋風味も備えつつ、団子という和風菓子の趣をアッピールすべく、竹や樹脂等の素材で出来た竹篭風の篭容器に一個ずつ入れてあるので、この先、お土産品としても売れ筋商品として見込まれる。
（ホ）  一個ずつ篭容器に囲われて納まっているので、篭容器から出して食べる行為に移るまでは、手で持ち動かす時にも、団子そのものの形が壊れることなく整然たる和の居ずまいを保つことが出来る。
【図面の簡単な説明】
【０００６】
【図１】  本考案の実施例を示す慶弔三色だんご一組のイメージ斜視図
【考案を実施するための形態】
【０００７】  以下、実施の形態を説明する。
コーヒーや抹茶等の、カラフルな色合いを有する飲食材、あるいは桜や菜の花等の食彩利用可能な花弁、及び食紅を、夫々別々に、もしくは混ぜ合わせて、お団子の生地に練り込まれてある個別の団子が、一個ずつ竹篭風の和風の篭容器（４）に納めてあり、その篭容器（４）に納まった状態で、異なる三色の団子の組み合わせ一組によって単位製品と成っている。
本考案は以上の様な構成であり、以下、図面に沿って実施の形態を説明する。
図１に示してあるのは、モカ入りコーヒー色の団子（１）即ちコーヒー団子（Ａ）と、桜の花弁入り桜色の団子（２）即ち桜団子（Ｂ）と、長寿抹茶入り抹茶色の団子（３）即ち抹茶団子（Ｃ）で一組を成す実施例である。コーヒー団子（Ａ）に練り込まれるコーヒー種類はモカに限らず他の種類であっても構わず、コーヒーの色・香りと和風団子のマッチングの妙味を味わってもらうのが趣旨である。桜団子（Ｂ）の桜色は、桜の花弁の代わりに食紅でも構わず、あるいは桜の花弁と食紅を一緒に練り込んであっても構わず、華やいだ桜色や花弁の香りを演出するのが趣旨である。抹茶団子（Ｃ）に練り込まれる抹茶種も様々であってよく、抹茶の色・香りで、いかにも健康促進的な要素としてアッピールするのが趣旨である。
一組の慶弔三色だんご（Ｄ）を成す、色合いの異なる三種類の団子の夫々が、食べる直前までは、個別に和風の篭容器に囲われる形で納まっているので、一個ずつ持ち上げられたり動かされたりしても、丸いお団子の形は崩れることなく、終始整然と和の居ずまいを保ち続けることができる。
食べる時は、篭容器の開閉部（５）を外し、篭容器を開いてお団子を取り出せばよい。
【符号の説明】
【０００８】１  モカ入りコーヒー色の団子，      ２  桜の花弁入り桜色の団子，
３  長寿抹茶入り抹茶色の団子，      ４  篭容器，      ５  開閉部，
Ａ  コーヒー団子，      Ｂ  桜団子，      Ｃ  抹茶団子，
Ｄ  慶弔三色だんご
【図１】
0003213628.tif 000003
(57)【要約】      （修正有）【課題】つぼ押しと叩きの両方ができる肩叩きを提供する。【解決手段】把持するための握り部１と、叩くための叩き部３と、それらの接続するための支持棒２と、叩き部３から延伸する延長棒４を備えたことを特徴とする肩叩きで、延長棒４の先につぼ押し部を設けたことを特徴とする肩叩きである。延長棒４は円弧状の曲がりを設けるとより効果がある。【選択図】図１
0003213624.tif 000002
【実用新案登録請求の範囲】
【請求項１】
把持するための握り部１と、叩くための叩き部３と、それらの接続するための支持棒２と、叩き部３から延伸する１本又は複数の延長棒４を備えたことを特徴とする肩叩き。
【請求項２】
延長棒４の先に、つぼ押し部を設けたことを特徴とする請求項１記載の肩叩き。
【請求項３】
延長棒４は円弧状の曲がりを設けたことを特徴とする請求項１記載の肩叩き。
【考案の詳細な説明】
【技術分野】
【０００１】本考案は、つぼ押しと叩きの両方が出来る肩叩きに関する。
【背景技術】
【０００２】従来から肩叩きは、体に当る部分が硬く、ボール状の柔らかい物も有ったがそれでもやはり体に当った瞬間硬さを感じた。
【先行技術文献】
【特許文献】
【０００３】
【特許文献１】特開２００５−２９６５８７公報
【考案の概要】
【考案が解決しようとする課題】
【０００４】従来の肩叩きは、体に当る部分が硬く、振動しないため、気持ちがよくなかった。また、背中つぼ押しと肩叩きの両方を同時に出来なかった。
【課題を解決するための手段】
【０００５】把持する握り部１と、叩くための叩き部３と、それらを接続するための支持棒２と、叩き部３から延伸する延長棒４を備えたことを特徴とする肩叩き。【０００６】延長棒４の先に、つぼ押し部を設けたことを特徴とする肩叩き。【０００７】そして背中つぼ押しの握り部の先に支持棒があり、その先に叩き部が取り付けられている。その先に曲がった延長棒がありその先端につぼ押しが装着されている。
【考案の効果】
【０００８】肩叩きの叩き部の先に可撓性で弾性作用のある延長棒を設けているので、叩いた時、延長棒の質量の慣性で叩いた方に曲がり、少し強い押し力となる。次の瞬間、延長棒は反対側に曲がり押し力が弱くなる。これが繰り返され、叩き部が振動し、気持ち良い叩きとなる。【０００９】叩き部から延伸する円弧状の延長棒の先に、つぼ押し部を設けているので、振動叩きと同時に背中つぼ押しの両方が出来る。
【図面の簡単な説明】
【００１０】
【図１】図１は本発明の肩叩きの構成（正面図）である
【図２】図２は本発明の肩叩きの構成（側面図）である
【図３】図３は従来の肩叩きの正面図である
【考案を実施するための形態】
【００１１】図１と図２に、本考案の肩叩きの構成を示す。
本考案の肩叩き６は、把持するための握り部１と、叩くための叩き部３と、それらを接続するための支持棒２と、叩き部３から延伸する延長棒４と、その延長棒の先端に取り付けたつぼ押し部５からなる。
【００１２】  握り部１を握り支持棒２の先にある叩き部３で肩などを叩き、その先の延長棒の先端に取り付けたつぼ押し部で、背中のつぼを押すことができる。
【００１３】延長棒は１本又は複数で、直線状でもよいが、円弧状の曲がりを設けると、後述するように、叩いた時に、叩いた部分に振動が滑らかに気持ちよく伝わる。
延長棒は可撓性であれば材料は金属、プラスティク製またはゴム製で、断面形状は円形、四角形、楕円形である。支持棒も同様な材料及び断面形状である。
【００１４】  叩き部は、形状として長手方向または縦方向で、材料は木製、プラスティク製、ゴム製、金属である。
【００１５】  支持棒２と延長棒３は、叩き部を介して連続して繋がった一体構成であってもよいし、叩き部を介して別々の構成にしてもよい。
【００１６】握り部１を握って、肩などを、叩き部２を叩いた時、叩き部の先の質量の慣性で、可撓性のある延長棒は弾性作用で叩いた方向に曲がり、少し強い押し力となる。そして叩いた時、叩き部は極く短時間押し付けた状態にあり、その状態で瞬間的に延長棒は、弾性作用で逆の方向に曲がり押し付け力が下がる。そしてまた、すぐに弾性作用で押し付け方向に力が作用する、この作用を繰り返して微振動が生じる。この延長棒の振動による押し力が叩き部に作用し滑らかで気持ち良い振動叩きとなる。
【００１７】本考案で肩叩きすると、延長棒の弾性作用で滑らかで少し強くまた振動叩きとなり従来の肩叩きにない極めて気持ちの良い叩きを提供する。本発明に肩叩きは、肩叩き部が肩に当たったときに、延長棒が振動し、その延長部の震度が叩き部に伝わり、それが振動するため気持ちよさが増す。
延長部のみでもよいが、その先につぼ押し部を設けると、良い振動叩きと同時につぼ押しが可能となる。
【符号の説明】
【００１８】  １  握り部
２  支持棒
３  叩き部
４  延長棒
５  つぼ押し部
６  肩叩き
【図１】
0003213624.tif 000003
【図２】
0003213624.tif 000004
【図３】
0003213624.tif 000005
(57)【要約】      （修正有）【課題】調湿機能と脱臭機能とを備えた袋体を収納したベッドを提供する。【解決手段】本考案は、ベッド枠に支持された箱形寝床部２を有し、当該箱形寝床部の内空間に、粒径５ｍｍ〜１０ｍｍの竹炭と粒径３ｃｍ〜５ｃｍ備長炭とを５対５の重量比で調整した調湿・吸収体を充填した袋体３を収納してなることを特徴とするベッド１であり、快適な睡眠を得ることができる。【選択図】図１
0003213627.tif 000002
【実用新案登録請求の範囲】
【請求項１】
ベッド枠に支持された箱形寝床部を有し、当該箱形寝床部の内空間に、粒径５ｍｍ〜１０ｍｍの竹炭と粒径３ｃｍ〜５ｃｍ備長炭とを５対５の重量比で調整した調湿・吸収体を充填した袋体を収納してなることを特徴とするベッド
【請求項２】
袋体が、通気性かつ非通水性を有する不織布から成ることを特徴とする請求項１記載のベッド
【考案の詳細な説明】
【技術分野】
【０００１】  本考案は、ベッドに関し、特に調湿・吸臭効果に優れたベッドに関するものである。
【背景技術】
【０００２】  日本は四季によって気温や湿度の変化が箸しく、夏は高温多湿であり、冬は低温度であることから、ベッドについては、調湿・吸臭機能が必要とされている。しかしながら従来のベッドは、例えば布団等の基布の中に詰める物として、綿、羊毛、羽毛等が用いられているため、ベッドに必要な調湿機能と吸臭機能が不十分であった。【０００３】  このため、例えばベッドの調湿・吸臭機能を高めるために、数々の試作が行われている。【０００４】  例えば、実用新案登録広報第２５０２７０７号では、竹炭と針葉樹炭と広葉樹炭を所定の割合で配合した詰め物をマットレス状に加工した寝具を使用したベッドが開示されている。
【先行技術文献】
【特許文献】
【０００５】
【特許文献１】実用新案登録広報第２５０２７０７号
【考案の概要】
【考案が解決しようとする課題】
【０００６】  しかしながら、竹炭と針葉樹炭と広葉樹炭を所定の割合で配合したのみでは、炭の有する調湿・吸臭機能を十分に発揮することはできない。十分な機能を発揮させるためには、炭表面が外気と十分接触する必要があり、充填する炭の形状、大きさが重要となる。従って充填する炭をその種類の特性に応じた大きさに調整する必要があり、ベッド枠に支持された箱形寝床部を有し、当該箱形寝床部の内空間に、粒径５ｍｍ〜１０ｍｍの竹炭と粒径３ｃｍ〜５ｃｍ備長炭とを５対５の重量比で調整した調湿・吸収体を充填した袋体を収納してなることを特徴とするベッドは存在していない。【０００７】  また、木炭は吸湿機能と共に脱臭機能も有り、吸湿材として優れた材料であるが、吸湿量が比較的少ないことと、放湿機能に劣るため、湿度を調節する吸収作用が不十分であること等の問題があった。【０００８】  また、寝具の湿度が高いと、就寝者にとって不快であるだけでなく、ダニやカビが発生する問題がある。逆に、湿度が低く過ぎると、身体が乾燥して喉を傷めたり、皮膚がカサカサしたり、風邪を引やすくなったりする問題がある。【０００９】  また、近年の家屋は、冷暖房の効率をあげるために自然的な換気が益々難しくなってきていることから、就寝時の身体の揮発成分の除去方法の開発も重要である。【００１０】  さらに、エヤコンや加湿器、除湿器等々によって、室内の湿度の調整する方法が採用されてきたが、人工的な調整方法では体質にあわない人が多く、自然環境に似た、ゆるやかな調整方法が期待されている。【００１１】  本考案はこのような問題を鑑みてなされたものであり、調湿機能と脱臭機能を備え、四季を通じて快適に使用できるベッドを提供する事を目的とする。
【課題を解決するための手段】
【００１２】  以上の課題を解決するために、竹炭と備長炭を所定の大きさで配合して充填材とした。具体的には、ベッド枠に支持された箱形寝床部を有し、当該箱形寝床部の内空間に、粒径５ｍｍ〜１０ｍｍの竹炭と粒径３ｃｍ〜５ｃｍ備長炭とを５対５の重量比で調整した調湿・吸収体を充填した袋体を収納してなることを特徴とするベッドとした。【００１３】  また、袋体は、通気性かつ非通水性を有する不織布を用いた。
【考案の効果】
【００１４】  本考案は、ベッド枠に支持された箱形寝床部を有し、当該箱形寝床部の内空間に、粒径５ｍｍ〜１０ｍｍの竹炭と粒径３ｃｍ〜５ｃｍ備長炭とを５対５の重量比で調整した調湿・吸収体を充填した袋体を収納してなることを特徴とするベッドであり、快適な睡眠を得ることができる。【００１５】  また、竹炭はマイナスイオンを発生することが知られており、睡眠中に精神的安定化を与えるという効果がある。しかも、炭の遠赤外線効果により、血液の循環がよくなり、腰痛などの治癒効果もある。この袋体に充填する炭の他にセラミックなどの遠赤外線を輻射する物質やマイナスイオンを発生するものなどを混合してもよい。
【図面の簡単な説明】
【００１６】
【図１】袋体をベッドに収納した図である。
【図２】袋体の一部断面斜視図である。
【考案を実施するための形態】
【００１７】以下にこの発明の一実施の形態を説明する。
【実施例１】
【００１８】  本実施例のベッドは、図１示すようにベッド１の箱形寝床部２の内空間に、隙間なく袋体３を８個収納し、その上にスノコ４を配置してベッド１とした。これによって、ベッド１は、清浄な雰囲気を得ることができる。【００１９】  袋体３は、図２に示すように、通気性かつ非通水性を有する４５ｃｍ×４５ｃｍ不織布から成り、長さが５ｍｍ〜１０ｍｍの竹炭５と粒径３ｃｍ〜５ｃｍ備長炭６とを５対５の重量比で調整した。【００２０】
【符号の説明】
【００２１】  １    ベッド
２    箱形寝床部
３    袋体
４    スノコ
５    竹炭
６    備長炭
【図１】
0003213627.tif 000003
【図２】
0003213627.tif 000004
(57)【要約】      （修正有）【課題】こどもが安価なもので遊ぶことができる、つなげて遊べるペットボトルを提供する。【解決手段】ペットボトルの底の部分に深いくぼみ３をつくることによって別のペットボトルのキャップ１のついた部分を差し込むことができ、こどもが遊ぶことができる。【選択図】図１
0003213626.tif 000002
【実用新案登録請求の範囲】
【請求項１】
図１のように、ペットボトルの底の部分に深いくぼみをつくり、別のペットボトルのキャップのついている部分とつなぐことができるようになったペットボトル。
【請求項２】
図２のように、ペットボトルの底の部分に深いくぼみをつくり、別のペットボトルのネジになっている部分をはめこむことによってつなぐことができるようになったペットボトル。
【考案の詳細な説明】
【技術分野】
【０００１】  本考案はペットボトルの底の形を変えることによって実現するつなげて遊べるペットボトルに関するものである。
【背景技術】
【０００２】  ペットボトルは容器として利用されているがこどもが遊ぶことはしなかった。
【先行技術文献】
【特許文献】
【０００３】
【特許文献１】実用新案登録第３１５５７４６号
【考案の概要】
【考案が解決しようとする課題】
【０００４】  おもちゃが高価であるという欠点を解決しようとするものである。
【課題を解決するための手段】
【０００５】  本考案はペットボトルの底に深いくぼみをつけることによって、安価なペットボトルでペットボトル同士をつなげて遊ぶことができるようにすることによって問題点を解決している。
【考案の効果】
【０００６】  上述のように、ペットボトルで遊ぶことができるので、経済的な負担を軽くすることができる。
【図面の簡単な説明】
【０００７】
【図１】本考案のつなげて遊べるペットボトルをつなげた時の横から見た図である。
【図２】キャップを外した状態でつなげるようにしたものを横から見た図である。
【考案を実施するための形態】
【０００８】  本考案のペットボトルを複数用意し、ひとつのペットボトルの底の深いくぼみ部分にもうひとつのペットボトルのキャップのついた部分を差し込むことによりつなげて遊ぶ。
【実施例】
【０００９】  以下、添付図面に従って一実施例を説明する。▲１▼はキャップ、▲２▼はボトル部、▲３▼は深いくぼみ、▲４▼はネジ部である。本考案のペットボトルを複数用意し、ひとつのペットボトルの底の▲３▼深いくぼみに、もうひとつのペットボトルの▲１▼キャップのついた部分をつなげることによってこどもが遊ぶことができる。
【符号の説明】
【００１０】▲１▼キャップ
▲２▼ボトル部
▲３▼深いくぼみ
▲４▼ネジ部
【図１】
0003213626.tif 000003
【図２】
0003213626.tif 000004
【手続補正書】
【提出日】平成29年9月4日(2017.9.4)
【手続補正１】
【補正対象書類名】実用新案登録請求の範囲
【補正対象項目名】全文
【補正方法】変更
【補正の内容】
【実用新案登録請求の範囲】
【請求項１】
ペットボトルの底の部分に深いくぼみをつくり、別のペットボトルのキャップのついている部分とつなぐことができるようになったペットボトル。
【請求項２】
ペットボトルの底の部分に深いくぼみをつくり、別のペットボトルのネジになっている部分をはめこむことによってつなぐことができるようになったペットボトル。
(57)【要約】      （修正有）【課題】スマートフォンによるＶＲ視聴を、簡便に、はがきサイズで組み立てることが出来、何処でも手軽に使えるはがきサイズＶＲ視聴保持具を提供する。【解決手段】打ち抜きされた薄型段ボール２と二つの凸レンズを主体に構成され、凸レンズは、薄型段ボール２の打ち抜き部１２Ｂに配設され、薄型段ボール２の前後を折り畳み、薄型段ボール２に付随している両面テープ５〜７で貼り合わせることで固定されたものであり、凸レンズとスマートフォン画面との間に５〜６ｃｍの空間があり、二つの凸レンズの中央部にスマートフォンの画像を視聴できる支持体１５が配設され、支持体１５は、薄型段ボール２を折り畳んで固定されたものである。【選択図】図１
0003213608.tif 000002
【実用新案登録請求の範囲】
【請求項１】
薄型段ボールを用いて簡便に組み立てられる様にコンパクト設計され、スマートフォンの画像をリアルに拡大する凸レンズを有し、その凸レンズ保持部の前後を折り畳む形状にすることで付随している両面テープで貼り合せる構造と、凸レンズとスマートフォン画面とが５〜６ｃｍの空間があり、その二つの凸レンズの中央部にスマートフォンの画像を視聴できる支持体が配設される、以上の構成から成るスマートフォンによるはがきサイズＶＲ視聴保持具。
【考案の詳細な説明】
【技術分野】
【０００１】  本考案は、スマートフォンによるはがきサイズＶＲ視聴保持具により何処でも容易にＶＲ視聴が出来るものである。
【背景技術】
【０００２】  従来のＶＲゴーグルは、前以って収録された画像をＶＲとして視聴できる用具として普及されている。然しながら頭部の毛髪部で保持するために窮屈で重くユーザーにとって軽量で簡易的な保持具が望まれている。
【考察の開示】
【考案が解決しようとする課題】
【０００３】  近年スマートフォンの普及により、様々なコンテンツが身近に視聴者に提供され、日常生活にその情報が活用されている。更にスマートフォンによる臨場感があり３６０度広角なＶＲを、手軽で携帯可能なゴーグルを薄型段ボールを活用して提供することが本考案の目的である。
【課題を解決するための手段】
【０００４】  本考案のスマートフォンによるはがきサイズＶＲ視聴保持具は、一枚の薄型段ボールにより簡易に組み立てる事が出来、スマートフォンを下方より差し入れ、保持具とともに両手又は片手で支え、軽量で手軽に視聴できる。
【０００５】  組立の際に使われる２個の凸レンズは、目に負荷のかからない安定感のあるレンズ（プラスチック製）を採用しており、しっかり見れるのが特徴である。
【考案の効果】
【０００６】  上述の様に、本考案のスマートフォンによるはがきサイズＶＲ視聴保持具に使用している薄型段ボールは、ボール紙よりも頑丈で崩れにくい構造になっており、組立が簡単で折り曲げ、差し込むだけの作業になっている。コストが安く、ユーザーにストレスを掛けないでＶＲコンテンツを楽しむことが出来ます。更には、はがきサイズに特化したことで定形郵便での取り扱いも出来、ダイレクトメールや雑誌の付録等に活用可能。手軽なハードウエアを追求したことでＶＲの潜在的なニーズを拡げることが可能である。
【考案を実施するための最良の形態】
【０００７】  以下、本考案の実施形態を図１〜図３に基づいて説明する。【０００８】  図１に於いて、一枚の薄型段ボールを所定形状に打ち抜き１１Ａ・１２Ｂ・１３Ｃ・１４Ａ更に折り曲げ線４を切り離せるようにカットする。【０００９】  図１の点線部３・８・９・１０・３ａは容易に折り曲げ可能にしてあり、更に折り曲げた際にＡ部及びＢ部中央部５・６とＣ部裏面の中央部７に両面テープを貼り付けてあり、図２の凸レンズ１８を１２Ｂに配設し８・９・１０を折り曲げるとレンズ部３か所突出部１９が保持されるので１８が固定される。【００１０】  図３に於いて、保持具１の形態にするために１の上面１６の打ち抜かれた１４Ａに、１の下方から挿入されるスマートフォンの画面を両眼から視認できる、支持体１５を支持体両端にある突起部１４を挿入し固定する。【００１１】  更にスマートフォンを保持するため、３ａを下方に折り曲げ保持板１７をスマートフォンの裏面にあたる様に配設する。
【図面の簡単な説明】
【００１２】
【図１】スマートフォンによるＶＲ視聴保持具の展開図
【図２】保持具に配設する凸レンズの全体図
【図３】保持具の組み立てた斜視図
【符号の説明】
【００１３】１      ＶＲ視聴保持具本体
２      薄型段ボールシート
３      折り曲げ線（上方に折り曲げ）
３ａ    折り曲げ線（下方に折り曲げ）
４      折り曲げ線（切り離し部）
５      Ａ部中央部に両面テープ貼り付け
６      Ｂ部中央部に両面テープ貼り付け
７      Ｃ部中央部シート裏面に両面テープ貼り付け
８      折り曲げ線
９      折り曲げ線
１０    折り曲げ線
１１Ａ  打ち抜き部
１２Ｂ  打ち抜き部（レンズ配設）
１３Ｃ  打ち抜き部
１４    支持体突起部
１４Ａ  打ち抜き部
１５    支持体部（上方に折り曲げ）
１６    保持具上面部
１７    保持板（スマートフォン裏面配設）
１８    凸レンズ
１９    凸レンズ突出部（３ヵ所）
【図１】
0003213608.tif 000003
【図２】
0003213608.tif 000004
【図３】
0003213608.tif 000005
【手続補正書】
【提出日】平成29年7月3日(2017.7.3)
【手続補正１】
【補正対象書類名】実用新案登録請求の範囲
【補正対象項目名】請求項１
【補正方法】変更
【補正の内容】
【請求項１】
打ち抜きされた薄型段ボールと二つの凸レンズを主体に構成され、スマートフォンの画面を拡大しリアルに視聴する前記レンズを配設しその前後を挟んで折り畳むことで付随している両面テープで貼り合わせ保持する形状と、前記スマートフォンの画面まで５〜６ｃｍの空間を有し、前記空間の中央部に支持体が折り畳んで配設されることを特徴とするはがきサイズＶＲ視聴保持具。
【手続補正書】
【提出日】平成29年8月31日(2017.8.31)
【手続補正１】
【補正対象書類名】実用新案登録請求の範囲
【補正対象項目名】全文
【補正方法】変更
【補正の内容】
【実用新案登録請求の範囲】
【請求項１】
打ち抜きされた薄型段ボールと二つの凸レンズを主体に構成され、前記凸レンズは、前記薄型段ボールの打ち抜き部に配設され、前記薄型段ボールの前後を折り畳み、前記薄型段ボールに付随している両面テープで貼り合わせることで固定されたものであり、前記凸レンズとスマートフォン画面との間に５〜６ｃｍの空間があり、前記二つの凸レンズの中央部にスマートフォンの画像を視聴できる支持体が配設され、前記支持体は、前記薄型段ボールを折り畳んで固定されたものであることを特徴とするはがきサイズＶＲ視聴保持具。
(57)【要約】      （修正有）【課題】従来、旗（広告用タペストリーや壁面やガラス面に掲示する店頭広告用垂れ旗など）を固定する際に、吸盤などの固定部を持つ旗固定装置の個数が多いと、旗の取り付けに時間がかかってしまう。また、パイプに紐を通してつるす場合には、見た目がすっきりせず、さらに、旗の提示高を決める際の紐の長さの調整が面倒であり、部材が増えてしまう。このため、製造コストが安く、設置が容易な旗固定装置を提供する。【解決手段】旗（広告用タペストリー）固定装置であって、壁面設置部位に備えられた吸盤状の壁面固定部２０と、壁面固定部位の反対方向に接続部３０を介して備えられた断面略Ｃの字で筒状の旗（広告用タペストリー）固定部１０とを備える。【選択図】図７
0003213605.tif 000002
【実用新案登録請求の範囲】
【請求項１】
旗固定装置であって、
壁面設置部位備えられた吸盤状の壁面固定部と、
前記壁面固定部位の反対方向に備えられた略Cの字状の旗固定部とを備える旗固定装置。
【考案の詳細な説明】
【技術分野】
【０００１】
本考案は、旗固定装置に関する。
【背景技術】
【０００２】
従来、旗（広告用タペストリーや、壁面やガラス面に提示する店頭広告用垂れ旗など）を固定する際には、旗１５０の上部にある袋やパイプに紐を通し、固定する壁の壁面に取り付けられた吸盤式の旗固定装置のフックに当該紐を通して固定していた（図８参照）。
【０００３】
また、別の方法としては、旗２００の上部にある袋に固定用の棒を通し、その棒の両端に吸盤式の旗固定装置を付け壁に固定していた（図９参照）。また、旗を固定するための特殊な機材も開発されている（特許文献１）
【先行技術文献】
【特許文献】
【０００４】
【特許文献１】特開２００７−８５１４７
【考案の概要】
【考案が解決しようとする課題】
【０００５】
しかしながら、旗を固定する際に、吸盤などの固定部を持つ旗固定装置の個数が多いと取り付けに時間がかかる。また、旗のパイプに紐を通してつるす場合には、見た目がすっきりしない。さらに、旗の提示高を決める際に、紐の長さの調整が面倒であり、部材が増えてしまう。このように、従来の旗固定装置では部材数が多くなりがちで、製造コストもかかり、設置する際に手間がかかる。
【０００６】
本考案は、上述した課題を解決するために製造コストが安く、設置が容易な旗固定装置を提供することを目的とする。
【課題を解決するための手段】
【０００７】
旗固定装置であって、壁面設置部位備えられた吸盤状の壁面固定部と、前記壁面固定部位の反対方向に備えられた略Ｃの字状の旗固定部とを備える旗固定装置。
【図面の簡単な説明】
【０００８】
【図１】本考案の実施形態にかかる旗固定装置の使用例の正面図である。
【図２】本考案の実施形態にかかる旗固定装置を使用例の背面図である。
【図３】本考案の実施形態にかかる旗固定装置の正面図である。
【図４】本考案の実施形態にかかる旗固定装置の背面図である。
【図５】本考案の実施形態にかかる旗固定装置の平面図である。
【図６】本考案の実施形態にかかる旗固定装置の底面図である。
【図７】本考案の実施形態にかかる旗固定装置の右側面図である。
【図８】従来の旗固定装置の使用例図である。
【図９】従来の旗固定装置の使用例図である。
【考案を実施するための形態】
【０００９】
図１、図２は、本考案にかかる旗固定装置の使用状況を示す参考図である。本考案にかかる旗固定装置１を旗５０の上部や下部に取り付け壁に固定する。より具体的には、旗固定装置１の固定部１０に旗５０の上部や下部のパイプを通し、旗固定装置１の吸盤２０を壁に取り付ける。
【００１０】
図３は、本考案にかかる旗固定装置１の正面図である。旗固定装置１の一方の側には、図３に示すように壁面などに固定するための吸盤２０が設けられている。図４は、本考案にかかる旗固定装置１の背面図である。旗固定装置１の別の側には接続部３０を介して旗５０のパイプを通すことが可能な固定部１０が設けられている（図５参照、図６参照）。固定部１０は、図７に示すように側面から見ると略Ｃの字状の筒である。固定部１０の長手方向の長さは、固定時に旗が回転しない程度の長さを有する。
【００１１】
このように、本考案にかかる旗固定装置１は部品点数が少ないため、製造コストを安くすることができる。また、略Ｃの字状の固定部１０に旗５０のパイプを通すだけで、旗５０に旗固定装置１を取り付けることができるため、作業効率を高めることが可能である。
【００１２】
さらに、吸盤２０の個数が一つであっても、パイプを固定部１０に通すことで旗５０を固定することが可能なため、紐が不要になる。また、旗５０のパイプを旗固定装置１の固定部１０に通して固定するため、掲示時の見た目をすっきりさせることができる。また、旗固定装置１の固定部１０が略Cの字状の構造をしているため、提示している旗５０を入れ替える際に旗固定装置１を取り外す必要がなく、旗固定装置１を壁面などに設置したまま、旗５０の取り換えが可能である。
【符号の説明】
【００１３】
１  旗固定装置
１０  固定部
２０  吸盤
３０  接続部
５０  旗
１５０  旗
２００  旗
【図１】
0003213605.tif 000003
【図２】
0003213605.tif 000004
【図３】
0003213605.tif 000005
【図４】
0003213605.tif 000006
【図５】
0003213605.tif 000007
【図６】
0003213605.tif 000008
【図７】
0003213605.tif 000009
【図８】
0003213605.tif 000010
【図９】
0003213605.tif 000011
(57)【要約】      （修正有）【課題】高齢により足腰が弱い人が家事、立ち仕事を心配なく続けてられるようにした装着杖を提供する。【解決手段】人体の腰掛けを可能としたサドル１と、サドルの背面に垂下したパイプ３と、パイプの下を支持する連結金具と、連結金具に角度調整可能に支持した支持棒２とを有する。また支持棒に、ふくらはぎ後ろガード９と足首上前側ガイドレール１０を備える。杖を膝の上下で２本に分け、膝の高さで角度をつけ、つまずきにくく、歩きやすい。腰の部分はサドルの前後にヒモ類を有し、ベルトに挟み込み止め６で装着する。左右どちらの足でも切り替えが簡単にできる。【選択図】図１
0003213619.tif 000002
【実用新案登録請求の範囲】
【請求項１】
人体の腰掛けを可能としたサドルと、このサドルの背面に垂下したパイプと、このパイプの下を支持する連結金具と、この連結金具に角度調整可能に支持した指示棒とを有することを特徴とする装着杖。
【請求項２】
前記支持棒にふくらはぎ後ろガードを備えたことを特徴とする請求項１に記載の装着杖。
【請求項３】
前に支持棒に足首上前側ガイドレールを備えたことを特徴とする、請求項１又は請求項２に記載の装着杖。
【請求項４】
前記サドルの前部は、Ｕ字状に切り欠いたことを特徴とする請求項１記載の装着杖。
【考案の詳細な説明】
【技術分野】
【００１】高齢化に伴う足の衰えを補い長時間の立ち仕事にも役立つものとした装着杖に関するものである。
【背景技術】
【００２】手で支える杖をもっと楽に健康な人と同様に暮らせるよう足の膝角度を取り入れた。自転車に乗り始める感じで  体足共に体重を杖の力を借りて軽く出来る点が大きい。
【先行技術文献】
【特許文献】
【００３】
【特許文献１】特公表  平３−５０５６９０  公報
【特許文献２】特開２００２−３４７１７  公報
【考案の概要】
【考案が解決しようとする課題】
【００４】たとえば、松葉杖は腕の付け根、脇の下、肩に首筋に負担がかかり本来の杖では１０Ｋｇ程度の重さを支えるにすぎず、車椅子では、狭い部屋などには不向きで手助けが必要にもなる場合もあり、それらを難無く解決するものである。
【課題を解決するための手段】
【００５】１本のステッキの棒を２本に分けて  膝の位地で５〜７°角度をつけると足の曲がりとよく合い、歩く際、つまずきにくく、前進がスムーズに動くことができる。【００６】足首の上でＵ字型のガイドレールとふくらはぎ上部をガードすることにより足とステッキが一体に動き、グリップを椅子代わりに立ったままの姿勢で掛けると、腰の前後をゴム製のヒモ類でウエストのベルトにボタン等で素早く掛けることにより、不都合な足が思いがけないほど楽に軽々歩くことが出来る。【００７】椅子にあたる部分の、自転車のサドルは座る姿勢の物であり形状が異なりこのステッキの座る部分は、立ったままの姿勢と、歩くためのより良い使い心地が追求される。  狭い箇所での性器に影響無いように工夫と歩いてもサドルでは後ろに後退してしまい不向きで  坐骨両足に上手にフィットさせることが求められた斬新なデザインに値する。
【考案の効果】
【００８】片足の不都合で仕事や家事全般に思うに任せられない人達が、案外多くまた、健康な人でも中腰の作業等はつらいものがあり、長時間の立ち仕事も無理なくこなせる。【００９】装着が簡単で素早く出来、左右も切り替えが苦にならない。履物などで、足の高低も膝の位地で調整が楽に出来る。屋内外で幅広く使用できる点。
【図面の簡単な説明】
【０１０】
【図１】本考案の装着杖の全体図である。
【図２】左足を図の手前に挟み込む６〜１０の図の形。
【図３】膝位地の角度を付けた金具の組み合わせ図。
【図４】サドルの裏側図、前が開き両足に挟む立ち歩き用に適した形図。
【考案を実施するための形態】
【０１１】図Ｉの全体図から、１のサドルで立ち座り台は樹脂製品で構成されるが、坐骨部分は多少クッションを持たせる、足の付け根部分は曲がりをつけ痛み等は無く使用出来る。前部が解放された形なので観た目も配慮し性器にも負担は無い。
【０１２】２〜３は  軽量のアルミパイプ直径２ｃｍ程を使用端部分は樹脂キャプで密閉する。
【０１３】６〜８は  ウエストのベルトにサドルと腰前後からのゴム製のヒモをホックボタンで止めベルトに掛け装着させる。
【０１４】９〜１０は杖と足を一体的な動きを要求される足を挟み込むように柔らかな金属性のガイドレールとする、１０は足首上を挟み前進する時  ９は後ろふくらはぎに当てると  一方の足が前進する時杖と外れない様になり、これで６〜１０は杖と一体的になり足首近くで固定して結ぶこともなく装着出来る。
【０１５】図３で説明  ひざ上下２本のパイプ棒の連結と、角度のある杖の中心部で有るが歩行しやすく軽量も求められる金型金属製品、  １の連結丸棒軸  ２の遊び窓で歩くことが楽に出来  ３は爪４を上げることでより大きくひざを曲げて歩行出来る。上部アルミパイプ下にゴムクッションを置く。
【０１６】図４はサドル下側杖のアルミ棒３を受け止めるため金属板２を用い、少し前後に歩く遊びを設けてそれ以上はゴムパッキン４で止める
【符号の説明】
【０１７】１  サドル２  アルミパイプ＝支持棒下３  アルミパイプ上４  下パイプ受け止め金具軸５  上パイプ受け止め金具軸６  ベルト挟み込み止め７  ヒモホックボタン８  サドル側ヒモ止め金具９  ふくらはぎ後ろ側ガード１０足首上前側ガイドレール１１石突
【図１】
0003213619.tif 000003
【図２】
0003213619.tif 000004
【図３】
0003213619.tif 000005
【図４】
0003213619.tif 000006
【手続補正書】
【提出日】平成29年8月18日(2017.8.18)
【手続補正１】
【補正対象書類名】実用新案登録請求の範囲
【補正対象項目名】全文
【補正方法】変更
【補正の内容】
【実用新案登録請求の範囲】
【請求項１】
人体の腰掛けを可能としたサドルと、このサドルの背面に垂下したパイプと、このパイプの下を支持する連結金具と、この連結金具に角度調整可能に支持した支持棒とを有することを特徴とする装着杖。
【請求項２】
前記支持棒にふくらはぎ後ろガードを備えたことを特徴とする請求項１に記載の装着杖。
【請求項３】
前記支持棒に足首上前側ガイドレールを備えたことを特徴とする請求項１又は請求項２に記載の装着杖。
【請求項４】
前記サドルの前部は、Ｕ字状に切り欠いたことを特徴とする請求項１記載の装着杖。
(57)【要約】      （修正有）【課題】食品関係の厨房、工場において、異物混入を防止し、視認性を高め、作業効率を上げる使い捨て絞り袋を提供する。【解決手段】逆円錐状の側面形状を有し、先端をカットして使用する使い捨て絞り袋であって、逆円錐状の側面のうちの半分が色付きの半透明材料で、もう半分が透明材料で形成されている。【選択図】図１
0003213615.tif 000002
【実用新案登録請求の範囲】
【請求項１】
食品関係の厨房、工場において異物混入を防止し、視認性を高め、
作業効率を上げる使い捨て絞り袋。
【考案の詳細な説明】
【技術分野】
【０００１】
この考案は使い捨て絞り袋に関する。
【背景技術】
【０００２】
使い捨て絞り袋は食品関係の厨房、工場でクリームやペースト状の材料を
商品に注入するのに使用されている。使用する際、先端を使用したいサイズに
ハサミでカットしてから使用する。
【０００３】
通常は全面透明か色付きのシート状の材料を丸めて、溶着させた構造である。
【０００４】
使い捨てにすることで洗浄して保管する必要がなくなるので衛生的である。
食中毒等の予防にもなる。
【考案の概要】
【考案が解決しようとする課題】
【０００５】
透明の使い捨て絞り袋は先端をハサミで切った場合や破損した場合、原料に混入する可能性が高く、混入した場合、発見しづらい。
【０００６】
また、全面色付きの絞り袋は、商品に混入した場合、透明の絞り袋に比べると発見は
容易ではあるが、中身の原料が確認しづらく、注入する際に間違えてしまう場合が
ある。
【課題を解決するための手段】
【０００７】
請求項１に記載の考案は、片面を色付きの半透明にすることで異物混入を防ぎ、
もう片面を透明にすることで原料の確認が容易に出来、作業上のミス防止にもつながる。
【図面の簡単な説明】
【０００８】
【図１】従来からある使い捨て絞り袋。
【図２】この考案に係わる使い捨て絞り袋。
【図１】
0003213615.tif 000003
【図２】
0003213615.tif 000004
【手続補正書】
【提出日】平成29年9月25日(2017.9.25)
【手続補正１】
【補正対象書類名】実用新案登録請求の範囲
【補正対象項目名】全文
【補正方法】変更
【補正の内容】
【実用新案登録請求の範囲】
【請求項１】
逆円錐状の側面形状を有し、先端をカットして使用する使い捨て絞り袋であって、
前記逆円錐状の側面のうちの半分が色付きの半透明材料で、もう半分が透明材料で形成されていることを特徴とする使い捨て絞り袋。
(57)【要約】      （修正有）【課題】コンクリート構造であって、側方表面に色粉を混錬させて景観の劣化を防ぎ、着色剤の塗装工程を省くことができる混練式デザインウォールを提供する。【解決手段】デザインウォール１は、コンクリート構造２の側方表面１ｂが模様をなす凹凸形状に形成される。この模様をなす凹凸形状の側方表面１ｂ下に塗装された下地接着剤１ａ、着色剤１ｃ、保護材１ｄにて構成されている。また、模様をなす凹凸形状が、側方表面１ｂの端から端に至る直線状若しくは屈曲状の溝部とその両側の表面によって形成される。【選択図】図１
0003213620.tif 000002
【実用新案登録請求の範囲】
【請求項１】
コンクリート構造に、色の混錬された側方表面が模様をなす凹凸形状に形成され、該模様をなす凹凸形状の側方表面下に塗装された下地接着剤、着色剤、保護材を備えることを特徴とする混練式デザインウォール。
【請求項２】
請求項１において、前記模様をなす凹凸形状が、側方表面の端から端に至る直線状若しくは屈曲状の溝部とその両側の表面によって形成されることを特徴とする混練式デザインウォール。
【請求項３】
請求項１において、前記模様をなす凹凸形状が、側方表面上に形成された凹凸状の模様形状によって形成されることを特徴とする混練式デザインウォール。
【考案の詳細な説明】
【技術分野】
【０００１】  本考案は混練式デザインウォールに関する。
【背景技術】
【０００２】  従来のデザインウォールはコンクリート構造に、無着色灰色のモルタルを塗り、その上に着色剤を塗装する方法が知られている。
【先行技術文献】
【特許文献】
【０００３】
【特許文献１】実用新案登録第３１６６９６２号
【考案の概要】
【考案が解決しようとする課題】
【０００４】  しかしながら、上記に記載の方法では、コンクリート構造の側方表面上に塗装された着色剤が紫外線や酸性雨などにより劣化してしまい、景観を損ねる場合があった。【０００５】  この対策として、側方表面素材に色粉を混練しコンクリート構造に塗装することで解決される。なお、この場合は着色剤を塗装する工程を割愛し、コスト削減に繋げることも可能である。【０００６】  本考案の目的は、側方表面に色粉を混錬させて景観の劣化を防ぐことができる。また、着色剤の塗装工程を省くことができる素材である。
【課題を解決するための手段】
【０００７】  本考案のデザインウォールはコンクリート構造に、色の混錬された側方表面が模様をなす凹凸形状で形成され、該模様をなす凹凸形状の側方表面下に塗装された下地接着剤。側方表面の上に着色剤、保護材を備えることを特徴とする混練式デザインウォール。【０００８】  本考案のデザインウォールは、また、前記模様をなす凹凸形状が、側方表面の端から端に至る直線状若しくは屈曲状の溝部とその両側の表面によって形成されることを特徴としている。【０００９】    本考案のデザインウォールは、また、前記模様をなす凹凸形状が、側方表面上に形成された凹凸状の模様形状によって形成されることを特徴としている。
【考案の効果】
【００１０】  本考案は、上述のように構成しているので、側方表面上が景観上劣化することない混練式デザインウォールを提供することができる。
【図面の簡単な説明】
【００１１】
【図１】本考案の実施例の混練式デザインウォールの概略図。
【考案を実施するための形態】
【００１２】  以下、本考案の実施例を図面に基づいて説明する。
【実施例】
【００１３】  図１は、本考案の実施例の混練式デザインウォールの概略図を示す。コンクリート構造としては、工業製品として規格されているような建築、土木用のものが用いられる。もしくはコンクリート製のＲＣ壁なども用いられる。【００１４】    コンクリート構造２に、色の混錬された側方表面１ｂが模様をなす凹凸形状に形成され、該模様をなす凹凸形状の側方表面１ｂ下に塗装された下地接着剤１ａ、着色剤１ｃ、保護材１ｄを備える。【００１５】    前記模様をなす凹凸形状が、側方表面１ｂの端から端に至る直線状若しくは屈曲状の溝部とその両側の表面によって形成する。【００１６】  前記模様をなす凹凸形状が、側方表面１ｂ上に形成された凹凸状の模様形状によって形成する。
【符号の説明】
【００１４】１…混練式デザインウォール
２…コンクリート構造
１ａ…下地接着剤
１ｂ…側方表面
１Ｃ…着色剤
１ｄ…保護剤
【図１】
0003213620.tif 000003
(57)【要約】      （修正有）【課題】袋物と額緑を一体化させる額縁付き袋物を提供する。【解決手段】袋物に枠２を設け透明板３をその枠２に貼り付けて窓４にする。袋物の正面の上部に飾り絵出し入れ口６を設け、飾り絵を出し入れする。【選択図】図２
0003213614.tif 000002
【実用新案登録請求の範囲】
【請求項１】
袋物正面部分にアクリルを接着剤で貼り付け、飾り絵が固定するようにそれを入れる袋を縫いつけることを特徴とする額緑付き袋物。
【考案の詳細な説明】
【技術分野】
【０００１】  本考案は袋物と額緑が１体になったものである。
【背景技術】
【０００２】  袋物を装飾する手段は主に袋物の生地の表面に型押ししたり、印刷加工したものです。
【考案の概要】
【考案が解決しようとする課題】
【０００３】  袋物を装飾する手段は主に、袋物の生地の表面に型押ししたり、印刷加工したものです。
【課題を解決するための手段】
【０００４】  袋物の正面に額をつくり、好みの絵を入れることによって変化をもたらすことが出来る。
【考案の効果】
【０００５】  好きな絵やポスターを入れることによって、フアッションの幅を広げることが出来る。
【図面の簡単な説明】
【０００６】
【図１】  本考案の正面図である。
【図２】  本袋物の窓の拡大図である。
【図３】  本袋物の上部からみた断面図である。
【考案を実施するための形態】
【０００７】  枠より大きめの固い芯に飾り絵を貼る。それを袋物本体の正面上から出し入れする。
【実施例】
【０００８】  袋物（ハンドバッグ等）の正面枠体２に透明板（アクリル）３を張り飾り絵５を前胴側の飾り絵出し入れ口から入れる。
【符号の説明】
【０００９】  １  額緑付き袋物
２  枠体
３  透明板
４  窓
５  飾り絵
６  飾り絵出し入れ口
７  袋物の中
【図１】
0003213614.tif 000003
【図２】
0003213614.tif 000004
【図３】
0003213614.tif 000005
【手続補正書】
【提出日】平成29年9月4日(2017.9.4)
【手続補正１】
【補正対象書類名】実用新案登録請求の範囲
【補正対象項目名】全文
【補正方法】変更
【補正の内容】
【実用新案登録請求の範囲】
【請求項１】
袋物正面部分に設けられた枠と、枠に貼り付けられた透明板と、袋物の正面の上部に設けられた飾り絵出し入れ口と、を備えた額縁付き袋物。
(57)【要約】      （修正有）【課題】線香の転倒を防止できる安心、安全な線香立て支持具を提供する。【解決手段】線香立て支持具３は、軽量鋼材または金具で形成され、上部平板と支持具下部の形状は丸型、角型、多角形、長方形等とし、上部平板の太さに合わせ複数本の線香２を立てるためのスプリング４を１〜２４本位設け、支持具単体は小型軽量で、支持具下部に磁石６かオモリを内蔵し、磁力やオモリで銅製や真鍮製線香立てケース１にも安定使用が出来る様に固定され、線香立てケースの中に綺麗に収まり違和感の無い高さにして、お香や線香の太さに応じたスプリングと支持具の形状とし仏具に合う塗装がされている。【選択図】図１
0003213617.tif 000002
【実用新案登録請求の範囲】
【請求項１】
線香立て支持具は上部のスプリング部分に線香をさして転倒防止を図り、燃え残りの無い線香立て支持具です。※以下支持具と記述
（イ）軽量鋼材や金具で形成する支持具であり、上部の円形板にスプリングの数を任意に１〜１２本位設けて複数本の線香を立てられる様に作成し一般家庭での参拝者の要望に努めます。
（ロ）今回は円板の大きさに併せて８本分として、軽量鋼材や金具で形成する支持具であり、重さも５０ｇ前後と軽量化を計り一般家庭で使用する線香を対象に提供し数人の参拝にも対応する支持具を製作提供する事を目的にしてます。
（ハ）支持具は５０ｇ前後と小型軽量なため安定性に乏しいと思われるかもしれませんが、ご安心下さい。磁力２，０００ガウス、吸着力３．０ｋｇ位の強力な磁石（メーカー仕様）を使用し、銅製や真鍮製にも安定使用出来る様に加工し、磁力の働きで強くもなく、弱くもない最良の吸着力を図り安心感ある特徴の支持具を提供します。
（ニ）線香の材質により完全に燃える物や、スプリング部分で消える線香もありますが、掃除の心配は御無用です。かるくスプリング上部を弾くと、燃え残りの線香や灰は毛管現象の様にスプリングから飛び出しますから日々の改まった掃除は不要です。また燃えカスとしての線香や灰の蓄積は線香立てケースとの隙間に保持するため、灰の溜まり具合で、掃除時は消火を確認して安全な方法で線香立てケースを逆さにして灰をふるい落とし、汚れる事もなく簡単に廃棄掃除できることを特徴とする支持具です。支持具はマグネット式なので、強い衝撃やショックを与えなければ落下の心配はないと思われます。
（ホ）一般的な線香立てケースの中に綺麗に収まる高さで、離れて見ても支持具は見えず違和感はありません。マグネット式なので法事等多人数の参拝時は一時取り外して、灰を使う「線香立てケース」にも簡単に変身できます。
（ヘ）上の様式で今後別途線香立てを新規に製作した際円板の大きさにより、お香や線香の太さに応じた複数支持具形状や１〜複数本、立てられる支持具の形状は丸型、角型、多角形でも製作可能として美を求める支持具を追求する。製品の色は各色考量。
【考案の詳細な説明】
【技術分野】
【０００１】この考案は、確実に線香を立てて、転倒防止し失火の原因を少しでも軽減するのが目的であります。
【背景技術】
【０００２】日々先祖供養で燈明やお線香を使われると思いますが、通常の灰を使った「線香立て」（容器ケース）では灰に挿した長さの部分は必ず燃え残ります。日常習慣的な感覚で上手く灰に挿して立てたつもりでも、燃え残りの線香に当たり感覚が微妙に変わり、不安定になっている場合もあります。お参りが済んで、その場を離れた後、燃焼の進行によるバランスや何かの拍子に火の付いた線香が倒れて仏壇の一部や、仏壇前の畳に焦げ跡の付いた家庭を時々見ます。そのような火事の原因にもなる様な不安定な状態を少しでも解消し安心ある生活の提供を目的にしています。
【考案の概要】
【考案が解決しようとする課題】
【０００３】上記の様な事柄（不安定さ）を解消し、いつでも快適で、綺麗に簡単に使用出来る事を追求し、常時取り付けていても違和感や邪魔だと云う感じを払拭し、一般に使用されている「線香立て」の灰の代わりに、図の様な製品を作成し、製品のスプリング部に線香をさして転倒防止しを図り、しかもスプリングの点による接触面状態を維持し燃え残りも無く灰を使わない線香立て支持具を提供を目的にする。
【図面の簡単な説明】
【０００４】
【図１】仏具の線香立てケースに線香立て支持具セットの説明図です。
【図２】線香立て支持具上部図と下部図と詳細説明内訳です。
【実施例１】
【０００５】１［図２］のＢ−１上部円盤に▲２▼スプリング受け突起金具を取付て垂直に線香が立つように微調整。
２［図２］の▲４▼下部円塔に上に▲３▼突起部固定金具をボルトで連結し、下部に▲６▼磁石受け金具＋▲７▼→磁石＋▲８▼→磁石落下防止蓋金具を取り付ける。
３［図２］のスプリング受け突起金具にスプリングを取付て垂直に線香が立つように再調整。
【実施例２】
【０００６】３［図１］の仏具の線香立てケースにセットした状態。ケースが銅や真鍮やステンレスや陶器などの場合は外側下部に磁力受けプレート付け吸着力で固定安定させる。（容器ケースの厚さに磁石の吸着力が変ることもある）
【符号の説明】
【０００７】  １  仏具の線香立てケース
２  市販の線香
３  線香立て支持具図
４  スプリング
５  磁石受け金具
６  磁石
７  磁石落下防止蓋金具
８  円形プレート
Ｂ−１  上部円盤のスプリング受け突起金具
Ｂ−２  １→突起部固定金具
Ｂ−３  下部円塔
Ｂ−４  スプリング
Ｂ−５  磁石受け金具
Ｂ−６  磁石
Ｂ−７  磁石落下防止蓋金具
Ｂ−８  線香立て支持具全体図
【図１】
0003213617.tif 000003
【図２】
0003213617.tif 000004
【手続補正書】
【提出日】平成29年9月7日(2017.9.7)
【手続補正１】
【補正対象書類名】実用新案登録請求の範囲
【補正対象項目名】請求項１
【補正方法】変更
【補正の内容】
【請求項１】
線香立て支持具の上部平板のスプリング部分に線香をさして転倒防止を図り、
燃え残りの無い線香立て支持具において、
（イ）軽量鋼材または金具で形成され、上部平板と支持具下部の形状は丸型、角型、多角      形、長方形等とし、
（ロ）上部の平板の太さに合わせ複数本の線香を立てるためのスプリングを１〜２４本位      設け、
（ハ）支持具単体は小型軽量で、安定感を高める方法として支持具下部に磁石かオモリを      内蔵し、
（ニ）磁力やオモリで銅製や真鍮製線香立てケースにも安定使用が出来る様に固定され、
（ホ）線香立てケースの中に綺麗に収まり違和感の無い高さにして、
（ヘ）お香や線香の太さに応じたスプリングと支持具の形状とし仏具に合う塗装とする、
以上の（イ）〜（ヘ）の構成からなる線香立て支持具。